(57)【要約】      （修正有）【課題】コマーシャルのない、またはコマーシャルを快速的にスキップさせるようにした番組の処理方法を提供する。【解決手段】コマーシャル肝要画面の入力ソースを選出するステップ一と、前記のコマーシャル肝要画面の入力ソースの本番の始発点部分と終了点部分のセクションをサーチするステップ二と、前記の本番の始発点と終了点のセクションに相似する複数のコマーシャル肝要画面を探し出すステップ三と、それらのコマーシャル肝要画面に含まれる複数個のコマーシャル・セクション同士を決定定義するステップ四と、を有する。【選択図】図１
2006040030.tif 000002
【特許請求の範囲】
【請求項１】
コマーシャル肝要画面の入力ソースを選出するステップ一と、
前記のコマーシャル肝要画面の入力ソースの本番の始発点部分と終了点部分のセクションをサーチするステップ二と、
前記の本番の始発点と終了点のセクションに相似する複数のコマーシャル肝要画面を探し出すステップ三と、
それらのコマーシャル肝要画面に含まれる複数のコマーシャル・セクションを挟み処置するステップ四と、
を有することを特徴とする、
コマーシャルの交替間の肝要画面に基づいてコマーシャル・セクションを処分する方法。
【請求項２】
前記の入力ソースとして映画のフィルムを好適に使用することを特徴とする、
請求項１に記載のコマーシャルの交替間の肝要画面に基づいてコマーシャル・セクションを処分する方法。
【請求項３】
前記の入力ソースとしてＴＶプログラムを好適に使用することを特徴とする、
請求項１に記載のコマーシャルの交替間の肝要画面に基づいてコマーシャル・セクションを処分する方法。
【請求項４】
前記のコマーシャル肝要画面の入力ソースを選出するステップ一においては、さらに使用者が選択モードを設定することによってそのコマーシャルの肝要画面を探し出すようにするステップ一の一を有することを特徴とする、
請求項１に記載のコマーシャルの交替間の肝要画面に基づいてコマーシャル・セクションを処分する方法。
【請求項５】
前記の選択モードとして手操作モードを好適に採用することを特徴とする、
請求項４に記載のコマーシャルの交替間の肝要画面に基づいてコマーシャル・セクションを処分する方法。
【請求項６】
前記の選択モードとしてオートマチック・モードを好適に採用することを特徴とする、
請求項４に記載のコマーシャルの交替間の肝要画面に基づいてコマーシャル・セクションを処分する方法。
【請求項７】
前記のコマーシャル肝要画面に含まれる複数のコマーシャル・セクションを挟み処置するステップにおいては、さらにそれらのコマーシャル・セクションの後段処理プロセスと、処理後のデータ結果を出力するプロセスなどをさらに有することを特徴とする、
好適に採用することを特徴とする、
請求項１に記載のコマーシャルの交替間の肝要画面に基づいてコマーシャル・セクションを処分する方法。
【請求項８】
前記の後段処理プロセスとは、前記のそれらのコマーシャル・セクションを記憶保存するステップのことを言うことを特徴とする、
請求項７に記載のコマーシャルの交替間の肝要画面に基づいてコマーシャル・セクションを処分する方法。
【請求項９】
前記の後段処理プロセスのこととは、前記のそれらのコマーシャル・セクションを削除することを言うことを特徴とする、
請求項７に記載のコマーシャルの交替間の肝要画面に基づいてコマーシャル・セクションを処分する方法。
【請求項１０】
前記の処理後のデータ結果を出力することとは、コマーシャルのないセクションやコマーシャルのセクションをスキップしてなるフィルムや速やかにコマーシャル・セクションを通過させるなどのようにした即時性の番組を作製することを言うことを特徴とする、
請求項７に記載のコマーシャルの交替間の肝要画面に基づいてコマーシャル・セクションを処分する方法。
【請求項１１】
前記の処理後のデータ結果を出力することとは、コマーシャルのないセクションやコンマーシャル・セクションをスキップさせることや、速やかにコマーシャル・セクションを通過させるようにしたことなどの映画のフィルムを出力することを言うことを特徴とする、
請求項７に記載のコマーシャルの交替間の肝要画面に基づいてコマーシャル・セクションを処分する方法。
【請求項１２】
前記のコマーシャル・セクションには、映像と音声とのことを含むことを特徴とする、
請求項１に記載のコマーシャルの交替間の肝要画面に基づいてコマーシャル・セクションを処分する方法。
【請求項１３】
コマーシャル肝要画面の入力ソースを選択するステップ一と、
使用者のための選択モードを設定することによってコマーシャル肝要画面を探し出すステップ二と、
コマーシャル肝要画面の入力ソースにおける始発時のセクションと終了時のセクションをサーチするステップ三と、
前記の始発時と終了時のセクションに相似する複数のコマーシャル・セクション同士を探し出すステップ四と、
それらのコマーシャル肝要画面に含まれる複数のコマーシャル・セクションを挟み処置するステップ五と、
を有することを特徴とするコマーシャルの交替間の肝要画面に基づいてコマーシャル・セクションを処分する方法。
【請求項１４】
前記の入力ソースとして映画フィルムを好適に使用することを特徴とする、
請求項１３に記載のコマーシャルの交替間の肝要画面に基づいてコマーシャル・セクションを処分する方法。
【請求項１５】
前記の入力ソースとしてＴＶプログラムを好適に使用することを特徴とする、
請求項１３に記載のコマーシャルの交替間の肝要画面に基づいてコマーシャル・セクションを処分する方法。
【請求項１６】
前記の選択モードとして手操作モードを好適に採用することを特徴とする、
請求項１３に記載のコマーシャルの交替間の肝要画面に基づいてコマーシャル・セクションを処分する方法。
【請求項１７】
前記の選択モードとしてオートマチック・モードを好適に採用することを特徴とする、
請求項１３に記載のコマーシャルの交替間の肝要画面に基づいてコマーシャル・セクションを処分する方法。
【請求項１８】
前記のコマーシャルの肝要画面を含む複数のコマーシャル・セクションを挟み処置するステップにおいては、さらに、それらのコマーシャル・セクション同士に係わる後段処理と処理後のデータ結果を出力するステップの一のことを含むことを特徴とする、
請求項１３に記載のコマーシャルの交替間の肝要画面に基づいてコマーシャル・セクションを処分する方法。
【請求項１９】
前記の後段処理とはそれらのコマーシャル・セクション同士を記憶保存することを言うことを特徴とする、
請求項１８に記載のコマーシャルの交替間の肝要画面に基づいてコマーシャル・セクションを処分する方法。
【請求項２０】
前記の後段処理とは、それらのこまシャール・セクション同士を削除することを言うことを特徴とする、
請求項１８に記載のコマーシャルの交替間の肝要画面に基づいてコマーシャル・セクションを処分する方法。
【請求項２１】
前記の処理後の出力されるデータ結果については、完璧的で全然コマーシャル・セクションを有しないものや、コマーシャル・セクションをスキップさせてなるものや、速やかにコマーシャル・セクションを通過させる即時性のプログラムのことを言うことを特徴とする、
請求項１８に記載のコマーシャルの交替間の肝要画面に基づいてコマーシャル・セクションを処分する方法。
【請求項２２】
前記の処理後の出力されるデータ結果については、完璧的で全然コマーシャル・セクションを有しないものや、コマーシャル・セクションをスキップさせてなるものや、速やかにコマーシャル・セクションを通過させる映画のフィルムのことを言うことを特徴とする、
請求項１８に記載のコマーシャルの交替間の肝要画面に基づいてコマーシャル・セクションを処分する方法。
【請求項２３】
前記のコマーシャル・セクションには映像と音声のことを含むことを特徴とする、
請求項１３に記載のコマーシャルの交替間の肝要画面に基づいてコマーシャル・セクションを処分する方法。
【請求項２４】
コマーシャルの肝要画面の入力ソースを選択するステップ一と、
そのコマーシャルの肝要画面の入力ソースの始発時と終了時とのセクションについてのフラッグを設定するステップ二と、
前記のコマーシャルの始発時と終了時とのフラッグに相似する複数のコマーシャルの肝要画面を探し出すステップ三と、
それらのコマーシャルの肝要画面を含む複数のコマーシャル・セクションを挟み処置するステップ四と、
を有することを特徴とする、
コマーシャルの交替間の肝要画面に基づいてコマーシャル・セクションを処分する方法。
【請求項２５】
前記の入力ソースとして映画フィルムを好適に採用することを特徴とする、
請求項２４に記載のコマーシャルの交替間の肝要画面に基づいてコマーシャル・セクションを処分する方法。
【請求項２６】
前記の入力ソースとしてＴＶプログラムを好適に採用することを特徴とする、
請求項２４に記載のコマーシャルの交替間の肝要画面に基づいてコマーシャル・セクションを処分する方法。
【請求項２７】
前記のコマーシャルの肝要画面の入力ソースを選出するステップにおいて、さらに、使用者に選択モードを設定させてそのコマーシャルの肝要画面を探し出させるようにするステップの一を含むことを特徴とする、
請求項２４に記載のコマーシャルの交替間の肝要画面に基づいてコマーシャル・セクションを処分する方法。
【請求項２８】
前記の選択モードとして手操作モードを好適に採用することを特徴とする、
請求項２７に記載のコマーシャルの交替間の肝要画面に基づいてコマーシャル・セクションを処分する方法。
【請求項２９】
前記の選択モードとしてオートマチック・モードを好適に採用することを特徴とする、
請求項２７に記載のコマーシャルの交替間の肝要画面に基づいてコマーシャル・セクションを処分する方法。
【請求項３０】
前記のコマーシャル画面に含まれる複数のコマーシャル・セクション同士を挟み処置するステップにおいて、それらのコマーシャル・セクション同士に対する後段処理と処理後のデータ結果を出力するステップなどをさらに有するようにしたことを特徴とする、
請求項２４に記載のコマーシャルの交替間の肝要画面に基づいてコマーシャル・セクションを処分する方法。
【請求項３１】
前記の後段処理とは、それらのコマーシャル・セクション同士を記憶保存することを言うことを特徴とする、
請求項３０に記載のコマーシャルの交替間の肝要画面に基づいてコマーシャル・セクションを処分する方法。
【請求項３２】
前記の後段処理とは、それらのコマーシャル・セクション同士を削除することを言うことを特徴とする、
請求項３０に記載のコマーシャルの交替間の肝要画面に基づいてコマーシャル・セクションを処分する方法。
【請求項３３】
前記の出力される処理後のデータ結果のものとは、完璧的であり、コマーシャル・セクションを有しなく、または、完全にコマーシャル・セクションをスキップし、または速やかにコマーシャル・セクションを通過させるようにした即時性のプログラムのものを言うことを特徴とする、
請求項３０に記載のコマーシャルの交替間の肝要画面に基づいてコマーシャル・セクションを処分する方法。
【請求項３４】
前記の出力される処理後のデータ結果のものとは、完璧的であり、コマーシャル・セクションを有しなく、または、完全にコマーシャル・セクションをスキップし、または速やかにコマーシャル・セクションを通過させるようにした映画のフィルムのものを言うことを特徴とする、
請求項３０に記載のコマーシャルの交替間の肝要画面に基づいてコマーシャル・セクションを処分する方法。
【請求項３５】
前記のコマーシャル・セクションには、映像と音声とを備えることを特徴とする、
請求項２４に記載のコマーシャルの交替間の肝要画面に基づいてコマーシャル・セクションを処分する方法。
【請求項３６】
コマーシャル肝要画面の入力ソースを選択するステップ一と、
使用者に、選択モードを設定させて、前記のコマーシャル肝要画面を探し出させるようにしたステップ二と、
そのコマーシャル肝要画面の入力ソースのコマーシャル・セクションの交替時のフラッグを設定するステップ三と、
前記のコマーシャル・セクションの交替時のフラッグに相似する複数の複数のコマーシャル肝要画面を探し出すステップ四と、
前記のコマーシャルの肝要画面に含まれる複数のコマーシャル・セクションを挟み処置するステップ五と、
を有することを特徴とする、
コマーシャルの交替間の肝要画面に基づいてコマーシャル・セクションを処分する方法。
【請求項３７】
前記の入力ソースとして映画のフィルムを好適に採用することを特徴とする、
請求項３６に記載のコマーシャルの交替間の肝要画面に基づいてコマーシャル・セクションを処分する方法。
【請求項３８】
前記の入力ソースとしてＴＶプログラムを好適に採用することを特徴とする、
請求項３６に記載のコマーシャルの交替間の肝要画面に基づいてコマーシャル・セクションを処分する方法。
【請求項３９】
前記の選択モードとして手操作モードを好適に採用することを特徴とする、
請求項３６に記載のコマーシャルの交替間の肝要画面に基づいてコマーシャル・セクションを処分する方法。
【請求項４０】
前記の選択モードとしてオートマチック・モードを好適に採用することを特徴とする、
請求項３６に記載のコマーシャルの交替間の肝要画面に基づいてコマーシャル・セクションを処分する方法。
【請求項４１】
前記のコマーシャル画面に含まれる複数のコマーシャル・セクション同士を挟み処置するステップにおいて、それらのコマーシャル・セクション同士に対する後段処理と処理後のデータ結果を出力するステップなどをさらに有するようにしたことを特徴とする、
請求項３６に記載のコマーシャルの交替間の肝要画面に基づいてコマーシャル・セクションを処分する方法。
【請求項４２】
前記の後段処理とは、それらのコマーシャル・セクション同士を記憶保存することを言うことを特徴とする、
請求項４１に記載のコマーシャルの交替間の肝要画面に基づいてコマーシャル・セクションを処分する方法。
【請求項４３】
前記の後段処理とは、それらのコマーシャル・セクション同士を削除することを言うことを特徴とする、
請求項４１に記載のコマーシャルの交替間の肝要画面に基づいてコマーシャル・セクションを処分する方法。
【請求項４４】
前記の出力される処理後のデータ結果のものとは、完璧的であり、コマーシャル・セクションを有しなく、または、完全にコマーシャル・セクションをスキップし、または速やかにコマーシャル・セクションを通過させるようにした即時性のプログラムのものを言うことを特徴とする、
請求項４１に記載のコマーシャルの交替間の肝要画面に基づいてコマーシャル・セクションを処分する方法。
【請求項４５】
前記の出力される処理後のデータ結果のものとは、完璧的であり、コマーシャル・セクションを有しなく、または、完全にコマーシャル・セクションをスキップし、または速やかにコマーシャル・セクションを通過させるようにした映画のフィルムのものを言うことを特徴とする、
請求項４１に記載のコマーシャルの交替間の肝要画面に基づいてコマーシャル・セクションを処分する方法。
【請求項４６】
前記のコマーシャル・セクションには、映像と音声とを備えることを特徴とする、
請求項３６に記載のコマーシャルの交替間の肝要画面に基づいてコマーシャル・セクションを処分する方法。
【発明の詳細な説明】
【技術分野】
【０００１】
本発明は、コマーシャルの交替間の肝要画面に基づいてコマーシャル・セクションを処分する方法に係わり、特に映画のフィルムに、または即時性のプログラム（つまり番組）に、コマーシャルの交替間の肝要画面の特性を利用してコマーシャル・セクションを処分する方法に関するものである。
【背景技術】
【０００２】
コマーシャルの製作者は、その生存のために、常々ＴＶチャネルの経営者と合作し、コマーシャルをプログラムの間に挟み込むようにし、それで、テレビ放送の中で、それらのプログラムの中にコマーシャルを挟み込む、また、ＴＶで映画を観覧する場合も常々コマーシャルが放送される。しかしながら、これらの差し込まれるようにアレンジされるコマーシャルには特別な属性を有し、それは、メイン・プログラムが、コマーシャルへ交替される場合に、または、コマーシャルよりメイン・プログラムへ交替しようとする場合に、すべて特定の画面が存在しており、それらの画面が大部分が同じようなものであり、且つそれらの繰り返しの画面がすべてある指示語、例えば、“少々お待ちください”または“本番に戻り”などの言葉が使用されている。
【発明の開示】
【発明が解決しようとする課題】
【０００３】
一般的に言うと、フィルムを編集するソフトウェアは、大体フィルムにおけるカラーの相違性を探し出し、フィルムにおけるそれぞれ異なる場面を探し出すようにする。これらの技術のことは、シーン（Ｓｃｅｎｅ）の検出といわれる。しかしながら、一つのフィルムには多くの場面が存在するので、特殊なセクションを探し出すためには、ユーザーの側より一つ一つ選出しなければならないので、かなり時間がかかる。
【０００４】
観覧者の立場から見ると、観覧されたいＴＶプログラムにおいてはコマーシャルの部分をなくすようにすることができればよく、または、フィルムの主なプログラムの内容を保留できれば、後日に観覧する場合にかなり便利的になることがある。
【０００５】
前記の目的を達成しようとするために、本発明の発明者は、研究開発を進めるとともに、学術の運用を合せて極めた結果、とうとう、本発明の“コマーシャルの交替間の肝要画面に基づいてコマーシャル・セクションを処分する方法”を提出するに至った。
【課題を解決するための手段】
【０００６】
前記の課題を解消するために、本発明による“コマーシャルの交替間の肝要画面に基づいてコマーシャル・セクションを処分する方法”は、コマーシャル肝要画面の入力ソースを選択するステップ一と、コマーシャルの肝要画面の入力ソースにおけるコマーシャルの交替間のフィルム・セクションを探し出すステップ二と、前記のコマーシャルの交替間のフィルム・セクションと相似する複数のコマーシャルの肝要画面を探し出すステップ三と、それらのコマーシャル肝要画面を含む複数のコマーシャルのセクション同士を挟み処置するステップ四とを有するように設定されている。
【発明の効果】
【０００７】
本発明による“コマーシャルの交替間の肝要画面に基づいてコマーシャル・セクションを処分する方法”の場合では、あるプログラム（番組）がコマーシャルに交替されようとする場合に、または、コマーシャルより番組へ交替されようとする場合に、そのコマーシャルの部分を処分でき、本発明による“コマーシャルの交替間の肝要画面に基づいてコマーシャル・セクションを処分する方法”には、そのコマーシャルを処分する方法においては二種類の手段を有し、その一つは、使用者より設定をし、使用者はコマーシャルに交替されるフレーム・マークの部位と、コマーシャルより番組へ交替される標記とを設定することによって、それらの二つの標記の間におけるコマーシャルの部分をろ過消去するものであり、また、他の一種は、プログラムによって自動的にそれらの二つの標記同士の位置を探し出すものであり、使用者は画面を観覧しながら、任意のセクション内において、コマーシャルに入る画面の標記とコマーシャルより番組に入る標記とを探し出し、それから自動的にそれらのコマーシャルのセクションをカット除去するようにする方法である。
【発明を実施するための最良の形態】
【０００８】
本発明の達成しようとする目的とそのために採用されるそれぞれの技術手段及びその効果については、以下に、添付図面を参照しながら、本発明の優れる実施の形態を好適に説明するが、それらの優れる実施の形態による具体的な構成及び技術手段は単に本発明を説明する参考として利用するものに過ぎなく、本発明の技術本体のすべてを定義するものではないことが言うまでもないことである。
図１に示すのは、本発明の“コマーシャルの交替間の肝要画面に基づいてコマーシャル・セクションを処分する方法”を示すフローチャートである。その方法においては、使用者がコマーシャル肝要画面の入力ソースを選択するステップ（Ｓ１００）を含み、その中では、前記の入力ソースとして映画のフィルムやＴＶのプログラムなどのものを包含し、前記のコマーシャル肝要画面については、繰り返しの言葉や所定の画面などのことを言い、それらの繰り返しの言葉については、例えば、“少々お待ちください”のものや、“本番へ戻り”などの言葉を含むものである。使用者は、ある選択モードを設定してそれらのコマーシャルの肝要画面を探し出すようにする（ステップＳ１０２）。その中では、前記の選択モードとして手操作モードやオートマチック・モードなどを好適に選択使用でき、前記のオートマチック・モードの場合では、プログラムによって自動的に探し出すようにするものである。
【０００９】
また、コマーシャル肝要画面の入力ソースの中でコマーシャルの交替間のセクションを探し出すようにする（ステップＳ１０４）。それらのコマーシャル・セクションには映像と音声とを含み、コマーシャルの本当の番組の交替間のセクションに相似する複数のコマーシャル肝要画面を探し出す（ステップ１０６）。また、それらのコマーシャル肝要画面を含む複数のコマーシャル・セクション同士を挟み処置する（ステップＳ１０８）。それから、それらのコマーシャル・セクション同士に対し後段の処理を実行する（ステップＳ１１０）。その中では、前記の後段の処理の方法には、例えば、前記のコマーシャル・セクションを削除するか、それらのコマーシャル・セクションを削除してからその処理後のデータ結果を出力するかなどの処理のことを含んでいる（ステップＳ１１２）。その中では、処理後のデータ結果を出力するものは、完璧的であり、コマーシャル・セクションを有しなく、または、完全にコマーシャル・セクションをスキップし、または、コマーシャル・セクションを速やかに通過させるようにする即時性のプログラムや、完璧的であり、コマーシャル・セクションを有しなく、または、完全にコマーシャル・セクションをスキップし、または、コマーシャル・セクションを速やかに通過させるようにする映画のフィルムである。
【００１０】
また、図２は、本発明の“コマーシャルの交替間の肝要画面に基づいてコマーシャル・セクションを処分する方法”の最も優れる実施の形態に係わるフローチャートであり、そのものには、使用者がコマーシャル肝要画面の入力ソースを選択するステップ（Ｓ２００）を有し、その中では、その入力ソースとして映画のフィルムまたはＴＶプログラムを好適に採用し、それらのコマーシャル肝要画面が繰り返し言葉や所定の画面などであり、それらの繰り返し言葉などについては、例えば“少々お待ちください”とか、“本番へ戻り”などの言葉のものであり、それから、使用者は選択モードを設定することによってコマーシャル肝要画面を探し出すようにする（ステップＳ２０２）。その中では、前記の選択モードとして手操作モードまたはオートマチック・モードなどを好適に使用でき、前記のオート・マチック・モードの場合では、プログラムによって自動的にサーチを実行するものである。
【００１１】
また、前記のコマーシャルの肝要画面の入力ソースのコマーシャルと番組との交替間のフラッグを設定し（ステップＳ２０４）、そのコマーシャル・セクションには映像と音声とを含み、使用者は手操作によってコマーシャル・セクションの始発時のフラッグを設定でき、且つ手操作によってコマーシャル・セクションの終了時のフラッグを設定でき、または、プログラムの内部設定によって、自動的に前記の二つのフラッグ同士を設定してから、相似するコマーシャルと番組との交替間のフラッグとしての複数個の肝要画面同士を探し出す（ステップＳ２０６）。それから、それらのコマーシャル肝要画面を含む複数のコマーシャル・セクション同士を挟み処置する（ステップＳ２０８）。コマーシャル・セクションの後段処理を進める（ステップＳ２１０）。その中では、前記の後段処理というものにはそれらのコマーシャル・セクションを削除するか、または、それらのコマーシャル・セクションを削除してから処理後のデータ結果を出力するように処理する（ステップ２１２）。その中では、処理後のデータ結果を出力するものは、完璧的であり、コマーシャル・セクションを有しなく、または、完全にコマーシャル・セクションをスキップし、または、コマーシャル・セクションを速やかに通過させるようにする即時性のプログラムや、完璧的であり、コマーシャル・セクションを有しなく、または、完全にコマーシャル・セクションをスキップし、または、コマーシャル・セクションを速やかに通過させるようにする映画のフィルムである。
【００１２】
本発明は、前記の掲げた技術を好適に利用して従来物と全く異なる設計を有する発明のものを提案でき、その全体の使用価値を高度に向上できるものであり、また、その出願前に刊行物に見られなく、且つ公開的に使用されるものはない。
【００１３】
また、前記に掲げた図面や説明などは、単に本発明の実施例に過ぎなく、当該分野における一般的な知識を有する技術者は前記に記載される技術に基づいて他の複数種の改良を実施できるが、それらのものもやはり本発明の技術的要旨の主張範囲内に属される他の簡単な変化の実施のものに属されるべきと見なされるべきである。
【図面の簡単な説明】
【００１４】
【図１】本発明のコマーシャルの交替間の肝要画面に基づいてコマーシャル・セクションを処分する方法を示すフローチャートである。
【図２】本発明のコマーシャルの交替間の肝要画面に基づいてコマーシャル・セクションを処分する方法の優れる実施の形態を示すフローチャートである。
【符号の説明】
【００１５】
Ｓ：各記載通りのステップを表す。
【図１】
2006040030.tif 000003
【図２】
2006040030.tif 000004